(57)【特許請求の範囲】
【請求項１】
可撓性を有する帯状のベルトと、
前記ベルトの基端に接続され、対象物に巻回された前記ベルトが挿通される貫通孔を有するヘッドと、
前記ベルトの延設方向に離間した位置において、前記ベルトの表面から突出する複数のラチェット歯と、
前記貫通孔に挿通された前記ベルトの前記ラチェット歯を係止するラチェット爪とを備える結束具であって、
前記ヘッドには、前記ベルトの幅方向の一方側に、前記貫通孔に対して前記ベルトを挿抜可能なスリットが形成され、
前記ラチェット歯及び前記ラチェット爪は、前記ベルトの幅方向の一方側が他方側と比べて、前記ベルトの延設方向の下流側に位置するように傾斜していることを特徴とする結束具。
【請求項２】
請求項１に記載の結束具において、
前記ベルトの裏面から突出し、前記複数のラチェット歯と平行に延びる複数の突条を備えることを特徴とする結束具。
【請求項３】
請求項２に記載の結束具において、
前記複数のラチェット歯と、前記複数の突条とは、前記ベルトの延設方向にずれて配置されていることを特徴とする結束具。
【請求項４】
請求項１〜３のいずれか１項に記載の結束具において、
前記ベルトの基端は、前記貫通孔が開口する前記ヘッドの面に接続されていることを特徴とする結束具。
【請求項５】
請求項１〜４のいずれか１項に記載の結束具において、
前記ベルトは、前記貫通孔を通過した前記ベルトの先端を、対象物に巻回された前記ベルトの中間部に取り付ける取付部を有することを特徴とする結束具。
【請求項６】
請求項５に記載の結束具において、
前記取付部は、前記ベルトの先端から前記ベルトの幅方向に突出するタブであることを特徴とする結束具。
【請求項７】
請求項５に記載の結束具において、
前記取付部は、前記ベルトの先端に設けられて、対象物に巻回された前記ベルトの中間部を前記ベルトの幅方向の両側から抱える包持部であることを特徴とする結束具。
【請求項８】
請求項１〜７のいずれか１項に記載の結束具において、
前記貫通孔の幅は、前記ベルトの幅の２倍以上であることを特徴とする結束具。
【請求項９】
可撓性を有する帯状のベルトと、
前記ベルトの基端に接続され、対象物に巻回された前記ベルトが挿通される貫通孔を有するヘッドと、
前記ベルトの延設方向に離間した位置において、前記ベルトの表面から突出する複数のラチェット歯と、
前記貫通孔に挿通された前記ベルトの前記ラチェット歯を係止するラチェット爪とを備える結束具であって、
前記ヘッドには、前記ベルトの幅方向の一方側に、前記貫通孔に対して前記ベルトを挿抜可能なスリットが形成され、
前記ベルトは、前記貫通孔を通過した前記ベルトの先端を、対象物に巻回された前記ベルトの中間部に取り付ける取付部を有し、
前記取付部は、前記ベルトの先端から前記ベルトの幅方向に突出するタブであり、
前記タブの表面及び裏面には、凹凸が形成されていることを特徴とする結束具。
【発明の詳細な説明】
【技術分野】
【０００１】
本発明は、対象物を結束する結束具に関する。
【背景技術】
【０００２】
従来より、可撓性を有する帯状のベルトと、対象物に巻回されたベルトが挿通される貫通孔を有するヘッドとを備える結束具が知られている。このような結束具は、貫通孔に挿通されたベルトが引き抜けないように構成されているので、使い捨てにされるのが一般的である。【０００３】
近年の環境保護や資源の有効利用の意識の高まりに伴って、リユース可能な結束具が開発されている（例えば、特許文献１を参照）。特許文献１に記載の結束具は、ヘッドの側面に設けられたスリットを通じて、ベルトをヘッドから取り外すことができる。
【先行技術文献】
【特許文献】
【０００４】
【特許文献１】実開昭６０−１７５０６８号公報
【発明の概要】
【発明が解決しようとする課題】
【０００５】
しかしながら、特許文献１の結束具は、結束中にベルトがヘッドから抜けるのを防止するために、スリットを開閉する開閉側辺を必要とする。そのため、結束具の構成が複雑になると共に、結束具を着脱するユーザの作業が煩雑になるという新たな課題を生じる。【０００６】
本発明は、上記の事情に鑑みてなされたものであり、その目的は、シンプルな構成でリユース可能な結束具を提供することにある。
【課題を解決するための手段】
【０００７】
本発明は、前記課題を解決するため、可撓性を有する帯状のベルトと、前記ベルトの基端に接続され、対象物に巻回された前記ベルトが挿通される貫通孔を有するヘッドと、前記ベルトの延設方向に離間した位置において、前記ベルトの表面から突出する複数のラチェット歯と、前記貫通孔に挿通された前記ベルトの前記ラチェット歯を係止するラチェット爪とを備える結束具であって、前記ヘッドには、前記ベルトの幅方向の一方側に、前記貫通孔に対して前記ベルトを挿抜可能なスリットが形成され、前記ラチェット歯及び前記ラチェット爪は、前記ベルトの幅方向の一方側が他方側と比べて、前記ベルトの延設方向の下流側に位置するように傾斜していることを特徴とする。
【発明の効果】
【０００８】
本発明によれば、シンプルな構成でリユース可能な結束具を実現することができる。
【図面の簡単な説明】
【０００９】
【図１】本実施形態に係る結束具の前上方斜視図である。
【図２】本実施形態に係る結束具の前下方斜視図である。
【図３】図１のＩＩＩ−ＩＩＩにおける断面図である。
【図４】対象物にベルトを一巻きした状態を示す斜視図である。
【図５】対象物にベルトを二巻きした状態を示す斜視図である。
【図６】ラチェット歯とラチェット爪との関係を示す図である。
【図７】変形例に係る結束具の前上方斜視図である。
【発明を実施するための形態】
【００１０】
以下、実施形態に係る結束具１を図面に基づいて説明する。なお、以下に記載する本発明の実施形態は、本発明を具体化する際の一例を示すものであって、本発明の範囲を実施形態の記載の範囲に限定するものではない。従って、本発明は、実施形態に種々の変更を加えて実施することができる。
【００１１】
図１は、本実施形態に係る結束具１の前上方斜視図である。図２は、本実施形態に係る結束具１の前下方斜視図である。図３は、図１のＩＩＩ−ＩＩＩにおける断面図である。図１〜図３に示すように、結束具１は、ベルト１０と、ヘッド２０とで構成される。結束具１は、例えば、樹脂材料で構成される。結束具１は、一体成形されてもよいし、ベルト１０及びヘッド２０を別々に形成して組み立ててもよい。
【００１２】
なお、本実施形態では、ベルト１０の延設方向を「前後方向」とし、ベルト１０の厚み方向を「上下方向」とし、ベルト１０の延設方向及び厚み方向に直交するベルト１０の幅方向を「左右方向」とする。また、図１〜図３において、ベルト１０の先端側（延設方向の下流側）を「前方」とし、ベルト１０の基端側（延設方向の上流側）を「後方」とする。さらに、図１〜図３において、ベルト１０の表面側を「上方」とし、ベルト１０の裏面側を「下方」とする。但し、前述の方向の組み合わせは一例であって、これに限定されないことは言うまでもない。
【００１３】
ベルト１０は、可撓性を有する帯状の部材である。ベルト１０は、基端がヘッド２０の前面に接続され、先端が自由端となっている。ベルト１０は、対象物の外周面に巻回される。対象物とは、例えば、ケーブルやホースの束でもよいし、支柱及び支柱に固定されるケーブルやホースでもよい。さらに、対象物の断面は、円形に限定されず、矩形（角材など）でもよい。対象物に巻回されたベルト１０のうち、対象物に接する側を「裏面」とし、その反対側を「表面」とする。
【００１４】
ベルト１０は、複数のラチェット歯１１と、複数の突条１２、１４、１５と、タブ（取付部）１３とを主に備える。なお、図１〜図３は、本実施形態の説明を容易にするための概略図であって、ラチェット歯１１及び突条１２、１４、１５の突出量や間隔などは現実のものと異なる場合がある。
【００１５】
複数のラチェット歯１１は、前後方向に離間した位置において、ベルト１０の表面に設けられている。複数のラチェット歯１１は、ベルト１０の表面から上方に突出し、且つベルト１０の表面に沿って延設されている。複数のラチェット歯１１は、互いに平行に延設されている。複数のラチェット歯１１の延設方向は、前後方向及び左右方向に対して傾斜している。より詳細には、複数のラチェット歯１１の延設方向は、右端が左端と比べて前方に位置するように傾斜している。複数のラチェット歯１１の延設方向は、例えば、前後方向に対して約４５°傾斜している。
【００１６】
複数の突条１２は、前後方向に離間した位置において、ベルト１０の裏面に設けられている。複数の突条１２は、ベルト１０の裏面から下方に突出し、且つベルト１０の裏面に沿って延設されている。複数の突条１２は、複数のラチェット歯１１と平行に延設されている。さらに図３に示すように、複数のラチェット歯１１と、複数の突条１２とは、前後方向において、互いにずれた位置に配置されるのが望ましい。
【００１７】
タブ１３は、ベルト１０の先端に設けられている。タブ１３は、ベルト１０の先端から左方向に突出している。タブ１３の厚みは、例えば、ベルト１０の厚みと同じに設定されている。さらに、タブ１３には、表面に複数の突条１４が形成され、裏面に複数の突条１５が形成されている。突条１４、１５の部分は凹凸の凸に相当し、隣接する突条１４、１５の間の部分は凹凸の凹に相当する。なお、突条１４、１５は、１個ずつでもよい。
【００１８】
突条１４のピッチ、突出量、幅、延設方向は、例えば、ベルト１０の表面に設けられたラチェット歯１１と同一である。突条１５のピッチ、突出量、幅、延設方向は、例えば、ベルト１０の裏面に設けられた突条１２と同一である。但し、突条１４、１５の形状は、前述の例に限定されない。
【００１９】
ヘッド２０は、対象物に巻回されたベルト１０を係止することによって、結束具１が対象物を結束した状態を維持する役割を担う。また、ヘッド２０は、ベルト１０の係止状態を解除可能に構成されている。これにより、結束具１はリユース可能になる。ヘッド２０は、天壁２１と、底壁２２と、側壁２３とを主に備える。
【００２０】
天壁２１及び底壁２２は、上下方向に所定の間隔を隔てて対向配置されている。側壁２３は、天壁２１及び底壁２２の左端同士を接続する。その結果、ヘッド２０には、天壁２１、底壁２２、及び側壁２３で囲まれた貫通孔２４が形成されている。貫通孔２４は、ヘッド２０の前面、後面、及び右面（側壁２３反対側の面）に開口している。
【００２１】
また、ベルト１０の基端は、貫通孔２４が開口するヘッド２０の前面に接続されている。換言すれば、図１〜図３に示すように、ベルト１０を前後方向に真っ直ぐ延ばしたとき、貫通孔２４の延設方向は、ベルト１０と平行になる。そして、貫通孔２４には、対象物に巻回されたベルト１０が挿通される。
【００２２】
一方、ヘッド２０の右面は、側壁によって閉塞されていない。換言すれば、ヘッド２０の右面は、スリット２５によって開放されている。スリット２５は、貫通孔２４とヘッド２０の外部とを連通させる。より詳細には、スリット２５は、貫通孔２４に対してベルト１０を挿抜可能にする。なお、結束具１の左右方向において、タブ１３の突出方向と、スリット２５の位置とは、互いに逆側である。但し、タブ１３が右方向に突出し、スリット２５がヘッド２０の左側に形成されていてもよい。
【００２３】
また、ヘッド２０は、爪支持部２６と、複数のラチェット爪２７とを備える。爪支持部２６は、天壁２１の下面に設けられている。爪支持部２６は、ヘッド２０の前方に向かって下り傾斜となっている。すなわち、底壁２２及び爪支持部２６の間隔（換言すれば、貫通孔２４の高さ）は、ヘッド２０の前方に向かって徐々に狭く（低く）なる。さらに、爪支持部２６は、上下方向に弾性変形可能に構成されている。
【００２４】
複数のラチェット爪２７は、爪支持部２６の下面（すなわち、貫通孔２４に対面する面）に形成されている。複数のラチェット爪２７は、貫通孔２４に挿通されたベルト１０のラチェット歯１１を係止して、ベルト１０が貫通孔２４から抜け出るのを防止する。なお、ラチェット爪２７の数は、複数に限定されず、１つであってもよい。
【００２５】
複数のラチェット爪２７は、前後方向に離間した位置において、爪支持部２６の下面から下方に突出し、且つ爪支持部２６の下面に沿って延設されている。複数のラチェット爪２７は、互いに平行に延設されている。複数のラチェット爪２７の延設方向は、右端が左端と比べて前方に位置するように傾斜している。
【００２６】
なお、複数のラチェット爪２７の延設方向は、貫通孔２４に挿通されたベルト１０のラチェット歯１１の延設方向と平行である。典型的には、複数のラチェット爪２７のピッチ、突出量、幅、延設方向は、ベルト１０の表面に設けられたラチェット歯１１と同一である。さらに、ラチェット歯１１及びラチェット爪２７の延設方向は、前述の例に限定されない。すなわち、ラチェット歯１１及びラチェット爪２７は、スリット２５が設けられた側が反対側より前方に位置するように傾斜していればよい。
【００２７】
さらに図１に示すように、貫通孔２４の左右方向の幅Ｗ１（換言すれば、側壁２３の右面からスリット２５までの距離）は、ベルト１０の左右方向の幅Ｗ２より大きく設定されている。より詳細には、貫通孔２４の幅Ｗ１は、ベルト１０の幅Ｗ２の２倍以上に設定されている。
【００２８】
次に図４〜図６を参照して、結束具１を対象物２に固定する手順を説明する。図４は、対象物２にベルト１０を一巻きした状態を示す斜視図である。図５は、対象物２にベルト１０を二巻きした状態を示す斜視図である。図６は、ラチェット歯１１とラチェット爪２７との関係を示す図である。
【００２９】
まず図４に示すように、ユーザは、ヘッド２０の下面（より詳細には、底壁２２の下面）を、対象物２の外周面に当接させる。次に、ユーザは、対象物２の外周面にベルト１０を巻回する。次に、ユーザは、対象物２を一巻きしたベルト１０を、スリット２５を通じて貫通孔２４（より詳細には、底壁２２及び爪支持部２６の間）に挿入する。貫通孔２４に挿入されたベルト１０は、爪支持部２６を上方に弾性変形させる。そして、爪支持部２６が下方に弾性復帰しようとする力によって、ラチェット歯１１がラチェット爪２７に係止される。
【００３０】
ここで図６（Ａ）に示すように、貫通孔２４に挿通したベルト１０から手を離すと、弾性復帰しようとするベルト１０に矢印Ａの向きの力が作用する。これにより、ラチェット歯１１の後面と、ラチェット爪２７の前面とが係合することによって、ベルト１０がラチェット爪２７に沿って矢印Ｘの向きに移動する。その結果、ベルト１０は、側壁２３に押し付けられて、ヘッド２０から自然に抜け出すことが防止される。
【００３１】
次に図５に示すように、ユーザは、対象物２に一巻きされ且つ貫通孔２４を通過したベルト１０を、さらに対象物２に巻回する。そして、ユーザは、対象物２を二巻きしたベルト１０を、スリット２５を通じて貫通孔２４に挿入する。二巻き目のベルト１０のラチェット歯１１と、ヘッド２０のラチェット爪２７との関係は、図６（Ａ）を用いた説明と共通する。また、貫通孔２４の内部において、一巻き目のベルト１０と、二巻き目のベルト１０とは、左右方向に隣接して配置される。
【００３２】
そして、ユーザは、ベルト１０を対象物に巻回し、スリット２５を通じて貫通孔２４に挿入する一連の操作を、複数（＝Ｗ１／Ｗ２）回繰り返す。さらに図５に示すように、ユーザは、ベルト１０の先端に設けられたタブ１３を、対象物２に巻回されたベルト１０の間（または、対象物２及びベルト１０の間）に挿入する。
【００３３】
次に図６（Ｂ）に示すように、対象物２に固定されたベルト１０の先端を矢印Ｂの向きにずらすと、ラチェット歯１１の前面と、ラチェット爪２７の後面とが係合する。これにより、ベルト１０がラチェット爪２７に沿って矢印Ｙの向きに移動する。その結果、ベルト１０は、スリット２５を通じてヘッド２０から抜去される。すなわち、対象物２に対する結束具１の結束が解除される。
【００３４】
上記の実施形態によれば、例えば以下の作用効果を奏する。
【００３５】
上記の実施形態によれば、ベルト１０の幅方向に対して、ラチェット歯１１及びラチェット爪２７を傾斜させたので、ベルト１０がヘッド２０から自然に抜けるのを防止できると共に、ベルト１０の先端をラチェット爪２７に沿ってずらすだけで結束具１を対象物２から容易に取り外すことができる。その結果、シンプルな構成でリユース可能な結束具１が実現される。
【００３６】
また、上記の実施形態によれば、ラチェット歯１１と平行な突条１２をベルト１０の裏面に設けたことによって、ベルト１０が部分的に重なる箇所でラチェット歯１１と突条１２とが係合（当接）する。その結果、ベルト１０同士の接触面の抵抗が増加して、対象物２に対して結束具１を強固に取り付けることができる。
【００３７】
また、上記の実施形態によれば、ラチェット歯１１と突条１２とを前後方向にずらして形成することによって、前後方向におけるベルト１０の厚みを均一にすることができる。その結果、射出成形によって結束具１を製造する場合において、ベルト１０のヒケや反りを防止することができる。また、ベルト１０に厚みの薄い部分ができないので、ベルト１０の強度低下を防止することができる。
【００３８】
また、上記の実施形態によれば、貫通孔２４の幅Ｗ１をベルト１０の幅Ｗ２の２倍以上に設定することによって、ベルト１０を複数回に亘って対象物２に巻回することができる。その結果、対象物２を強固に結束することができる。
【００３９】
また、上記の実施形態によれば、貫通孔２４が開口するヘッド２０の前面にベルト１０の基端を接続することによって、ヘッド２０から延びるベルト１０と、貫通孔２４に挿通されたベルト１０とを平行に近づけることができる。その結果、ベルト１０を対象物２に沿わせることが容易となり、ベルト１０の先端が対象物２の径方向外側に飛び出すのを防止することができる。但し、ベルト１０の基端の取付位置は前述の例に限定されず、底壁２２の下面でもよい。すなわち、貫通孔２４の延設方向とベルト１０とは、平行でなくてもよい。
【００４０】
さらに、上記の実施形態によれば、対象物２に巻回されたベルト１０の間（または、対象物２及びベルト１０の間）にタブ１３を挿入することによって、ベルト１０の先端を対象物２に沿わせることがさらに容易になる。
【００４１】
なお、ベルト１０の先端を対象物２に沿わせることは、リユースすることを前提とした（換言すれば、貫通孔２４を通過したベルト１０の先端を切除できない）結束具１において、対象物２を結束した際の審美性を高めるうえで重要である。
【００４２】
［変形例］
なお、取付部の具体的な構成はタブ１３に限定されず、貫通孔２４を通過したベルト１０の先端を、対象物２に巻回されたベルト１０の中間部に取り付けることができれば、どのような構成でもよい。図７は、変形例に係る結束具１Ａの前上方斜視図である。なお、上記の実施形態との共通点の詳細な説明は省略し、相違点を中心に説明する。
【００４３】
図７に示すように、変形例に係る結束具１Ａは、タブ１３に代えて包持部１６を備える点で上記の実施形態と相違する。また、変形例に係る結束具１Ａは、ベルト１０の裏面から突条１２が省略され、貫通孔２４及びベルト１０の幅が略同一である。
【００４４】
包持部１６は、ベルト１０の先端に設けられている。包持部１６は、ベルト１０の幅方向の両端部から下方に突出する一対の突出部１６ａ、１６ｂと、一対の突出部１６ａ、１６ｂの先端から互いに近づく向きに延びる一対の保持部１６ｃ、１６ｄとで構成される。そして、ベルト１０の幅は、一対の突出部１６ａ、１６ｂの間隔より小さく、一対の保持部１６ｃ、１６ｄの先端の間隔より大きい。
【００４５】
変形例に係る結束具１Ａは、図４〜図６を用いて説明した手順で対象物２に固定される。そして、ユーザは、一対の突出部１６ａ、１６ｂを広げる向きに弾性変形させて、対象物２に巻回されたベルト１０と対象物２との間に一対の保持部１６ｃ、１６ｄを挿入する。これにより、一対の突出部１６ａ、１６ｂ及び一対の保持部１６ｃ、１６ｄに、対象物２に巻回されたベルト１０の中間部が包持される。このような包持部１６によっても、ベルト１０の先端を対象物２に沿わせることができる。
【００４６】
［その他の変形例］
また、本発明に係る結束具１、１Ａは、上記の実施形態及び変形例で説明した特徴のうちの一部のみを備えてもよい。一例として、ラチェット歯１１及びラチェット爪２７は、ベルト１０の延設方向に対して傾斜していなくてもよい（すなわち、直角でもよい）。他の例として、ベルト１０には、取付部が設けられていなくてもよい。さらに他の例として、貫通孔２４の幅Ｗ１は、ベルト１０の幅Ｗ２の２倍未満でもよい。
【符号の説明】
【００４７】
１，１Ａ  結束具
２  対象物
１０  ベルト
１１  ラチェット歯
１２，１４，１５  突条
１３  タブ
１６  包持部
１６ａ，１６ｂ  突出部
１６ｃ，１６ｄ  保持部
２０  ヘッド
２１  天壁
２２  底壁
２３  側壁
２４  貫通孔
２５  スリット
２６  爪支持部
２７  ラチェット爪
【要約】
シンプルな構成でリユース可能な結束具を提供する。
結束具は、可撓性を有する帯状のベルトと、ベルトの基端に接続され、対象物に巻回されたベルトが挿通される貫通孔を有するヘッドと、ベルトの延設方向に離間した位置において、ベルトの表面から突出する複数のラチェット歯と、貫通孔に挿通されたベルトのラチェット歯を係止するラチェット爪とを備える結束具であって、ヘッドには、ベルトの幅方向の一方側に、貫通孔に対してベルトを挿抜可能なスリットが形成され、ラチェット歯及びラチェット爪は、ベルトの幅方向の一方側が他方側と比べて、ベルトの延設方向の下流側に位置するように傾斜している。【図１】
0006812051.tif 000002
【図２】
0006812051.tif 000003
【図３】
0006812051.tif 000004
【図４】
0006812051.tif 000005
【図５】
0006812051.tif 000006
【図６】
0006812051.tif 000007
【図７】
0006812051.tif 000008